【手続補正書】
【提出日】平成18年2月22日(2006.2.22)
【手続補正１】
【補正対象書類名】明細書
【補正対象項目名】特許請求の範囲
【補正方法】変更
【補正の内容】
【特許請求の範囲】
【請求項１】ファインダ視野内に複数の焦点検出領域をスーパーインポーズ表示する表示手段を有し、前記焦点検出領域を任意に選択可能にする焦点検出領域手動選択モードを少なくとも持つファインダ内表示装置において、
前記焦点検出領域手動選択モードにおいて、前記焦点検出領域が選択されている際は、前記表示手段に現在選択されている焦点検出領域及び該焦点検出領域以外の焦点検出領域をスーパーインポーズ表示させると共に、現在選択されている焦点検出領域と該焦点検出領域以外の焦点検出領域の表示形態を異ならせる表示制御手段を有することを特徴とするファインダ内表示装置。
【請求項２】前記表示制御手段は、現在選択されている焦点検出領域を点滅表示させ、該焦点検出領域以外の焦点検出領域を点灯表示させることを特徴とする請求項１記載のファインダ内表示装置。
【請求項３】前記表示制御手段は、現在選択されている焦点検出領域の表示形状と、該焦点検出領域以外の焦点検出領域の表示形状を異ならせることを特徴とする請求項１記載のファインダ内表示装置。
【請求項４】前記表示制御手段は、現在選択されている焦点検出領域の表示輝度と、該焦点検出領域以外の焦点検出領域の表示輝度を異ならせることを特徴とする請求項１記載のファインダ内表示装置。
【請求項５】前記表示制御手段は、現在選択されている焦点検出領域の表示の色と、該焦点検出領域以外の焦点検出領域の表示の色を異ならせることを特徴とする請求項１記載のファインダ内表示装置。
【請求項６】前記表示制御手段は、前記焦点検出領域の選択が為された後は、予め定められた時間が経過すると前記焦点検出領域の表示を消灯することを特徴とする請求項１ないし５のいずれかに記載のファインダ内表示装置。
【手続補正２】
【補正対象書類名】明細書
【補正対象項目名】０００９
【補正方法】変更
【補正の内容】
【０００９】
【課題を解決するための手段】上記目的を達成するために、本発明は、ファインダ視野内に複数の焦点検出領域をスーパーインポーズ表示する表示手段を有し、前記焦点検出領域を任意に選択可能にする焦点検出領域手動選択モードを少なくとも持つファインダ内表示装置において、前記焦点検出領域手動選択モードにおいて、前記焦点検出領域が選択されている際は、前記表示手段に現在選択されている焦点検出領域及び該焦点検出領域以外の焦点検出領域をスーパーインポーズ表示させると共に、現在選択されている焦点検出領域と該焦点検出領域以外の焦点検出領域の表示形態を異ならせる表示制御手段を有するファインダ内表示装置とするものである。
【手続補正３】
【補正対象書類名】明細書
【補正対象項目名】００２２
【補正方法】変更
【補正の内容】
【００２２】
前記ＬＣＤ駆動回路１０５は、スーパーインポーズ用ＬＣＤ２１，ファインダ内ＬＣＤ２３，モニター用ＬＣＤ４４を表示駆動させるための公知の回路であり、ＣＰＵ１００からの信号に従い、各ＬＣＤの表示内容を制御する。前記ＩＲＥＤ駆動回路１０６は、赤外発光ダイオード（ＩＲＥＤ１５ａ〜１５ｆ）を状況に応じて選択的に点灯させる。前記ＬＥＤ駆動回路１１１は、照明用ＬＥＤ２４（Ｆ−ＬＥＤ）及びスーパーインポーズ用ＬＥＤ１９（ＳＩ−ＬＥＤ）を点灯制御する。
【手続補正４】
【補正対象書類名】明細書
【補正対象項目名】００２４
【補正方法】変更
【補正の内容】
【００２４】
図３は、スーパーインポーズ用ＬＣＤ２１の全表示セグメントの内容を示した図である。
【手続補正５】
【補正対象書類名】明細書
【補正対象項目名】００２５
【補正方法】変更
【補正の内容】
【００２５】
同図において、５０〜９４は、焦点検出を行うための４５組のラインセンサＣＣＤ−１〜ＣＣＤ−４５に対応し、レンズ合焦時、あるいは、後述する焦点検出領域選択手段または視線検出により選択された焦点検出領域をファインダ視野内にスーパーインポーズ表示するための焦点検出領域セグメントである。これらの焦点検出領域セグメントの内いずれかがスーパーインポーズ表示されることにより、選択された焦点検出領域の確認を行える。２１ａは前記セグメントにＬＣＤ駆動回路１０５からの信号を伝達するための不図示のプリント基板とのコネクト部である。
【手続補正６】
【補正対象書類名】明細書
【補正対象項目名】００３３
【補正方法】変更
【補正の内容】
【００３３】
尚、焦点検出領域手動選択モードを選択し、焦点検出領域切換えスイッチＳＷ−Ｃがオンされているときは、図７に示すように現在選択されている焦点検出領域のみ点滅表示とし、他の焦点検出領域は点灯表示とすることで、全焦点検出領域に対する現在選択されている焦点検出領域の位置を把握できるようにしている。また、ファインダ視野外の表示も焦点検出領域選択モードが手動選択モードであることが判るように、シャッタスピード表示部４１にＳＥＬの表示を、絞り表示部４２にＡＦの表示を、それぞれ行う。そして、所定時間経過後、前記焦点検出領域及びファインダ視野外の表示を消する。
【手続補正７】
【補正対象書類名】明細書
【補正対象項目名】００３６
【補正方法】変更
【補正の内容】
【００３６】
次に、確定された焦点検出領域において、自動焦点検出回路１０３は焦点検出演算を行い、焦点検出可能であるか否かを判定し（＃１０９）、不能であればＣＰＵ１００はＬＣＤ駆動回路１０５に信号を送って図４のファインダ内ＬＣＤ２３の合焦マーク４０を点滅させ、焦点検出がＮＧであることを撮影者に警告する。一方、焦点検出が可能であり、所定のアルゴリズムで選択された焦点検出領域または視線検出により選択された焦点検出領域、または、手動で選択した焦点検出領域の焦点調節状態が合焦でなければ、ＣＰＵ１００はレンズ焦点調節回路１０９に信号を送って所定量撮影レンズ１を駆動させる（＃１１０）。
【手続補正８】
【補正対象書類名】明細書
【補正対象項目名】００３７
【補正方法】変更
【補正の内容】
【００３７】
レンズ駆動後は、撮影レンズ１が合焦しているか否かの判定を行う（＃１１１）。所定の焦点検出領域において撮影レンズ１が合焦していたならば、ＣＰＵ１００はＬＣＤ駆動回路１０５に信号を送ってスーパーインポーズ用ＬＣＤ２１及びファインダ内ＬＣＤ２３の制御を行い、さらにＬＥＤ駆動回路１１１にも信号を送って、Ｆ−ＬＥＤ２４及びＳＩ−ＬＥＤ１９を点灯させることによってそれぞれ、図４中の合焦マーク４０及び焦点検出領域自動選択モードを選択時は合焦している焦点検出領域５０〜９４の少なくとも一つ以上を、焦点検出領域手動選択モード及び視線検出モード時は、選択されている焦点検出領域をスーパーインポーズ表示することによって、撮影レンズが合焦状態にあることと、合焦している焦点検出領域の位置を撮影者に知らしめる。また同時に、ＣＰＵ１００は測光回路１０２に信号を送信して測光を行わせる（＃１１２）。
【手続補正９】
【補正対象書類名】明細書
【補正対象項目名】００３８
【補正方法】変更
【補正の内容】
【００３８】
次に、撮影者が該焦点検出領域位置でのピント状態と測光値を容認しているか否かの判定をスイッチＳＷ１のＯＮ，ＯＦＦで判定し（＃１１３）、さらにレリーズ釦が押し込まれてスイッチＳＷ２がＯＮされているかどうかの判定を行い、スイッチＳＷ２がＯＦＦ状態であれば再びスイッチＳＷ１の状態の確認を行う（＃１１４）。また、スイッチＳＷ２がＯＮされたならばＣＰＵ１００はシャッタ制御回路１０７，モータ制御回路１０８，絞り駆動回路１１０にそれぞれ信号を送信する。具体的には、まずモータＭ２に通電し、主ミラー２をアップさせ、絞り２６を絞り込んだ後、マグネットＭＧ１に通電してシャッタ４の先幕を開放する。絞り２６の絞り値及びシャッタ４のシャッタスピードは、前記測光回路１０２にて検知された露出値とフィルム５の感度から決定される。所定のシャッタ秒時経過後、マグネットＭＧ２に通電し、前記シャッタ４の後幕を閉じる。フィルム５への露光が終了すると、前記モータＭ２に再度通電し、ミラーダウン，シャッタチャージを行うと共にモータＭ１にも通電し、フィルムの１駒送りを行い、一連のシャッタレリーズシーケンスの動作が終了する（＃１１５）。その後、カメラは再びスイッチＳＷ１がＯＮされるまで待機する（＃１０１）。
【手続補正１０】
【補正対象書類名】明細書
【補正対象項目名】００４０
【補正方法】変更
【補正の内容】
【００４０】
図８に、スーパーインポーズ用ＬＣＤ２１の全表示セグメントの内容を示す。
【手続補正１１】
【補正対象書類名】明細書
【補正対象項目名】００４２
【補正方法】変更
【補正の内容】
【００４２】
２１ａは前記セグメントにＬＣＤ駆動回路１０５からの信号を伝達するための不図示のプリント基板とのコネクト部である。
【手続補正１２】
【補正対象書類名】明細書
【補正対象項目名】００５５
【補正方法】変更
【補正の内容】
【００５５】
また、実施の第１の形態では、現在選択されている焦点検出領域を点滅表示とし、他の焦点検出領域を点灯表示としているが、逆であっても良い。
【手続補正１３】
【補正対象書類名】明細書
【補正対象項目名】符号の説明
【補正方法】変更
【補正の内容】
【符号の説明】
１      撮影レンズ
６      焦点検出装置
１２    眼球
１９    高輝度ＬＥＤ
２１    スーパーインポーズ用ＬＣＤ
２３    ファインダ内ＬＣＤ
２４    照明用ＬＥＤ
５０〜９４，１５０〜１９４  焦点検出領域セグメント
２００  ＬＥＤアレイ
【手続補正１４】
【補正対象書類名】図面
【補正対象項目名】図２
【補正方法】変更
【補正の内容】
【図２】
2000250120.tif 000001
【手続補正１５】
【補正対象書類名】図面
【補正対象項目名】図３
【補正方法】変更
【補正の内容】
【図３】
2000250120.tif 000002
【手続補正１６】
【補正対象書類名】図面
【補正対象項目名】図８
【補正方法】変更
【補正の内容】
【図８】
2000250120.tif 000003